(57)【要約】【課題】  組み立てが円滑に且つ優れた保形性を有するように行えると共に不使用時には嵩張りを最小にした状態となるように折り畳むことができる構造が簡単な折り畳みコンテナを提供する。【解決手段】  底板１の前後左右の辺に前後側板２、３と左右側板４、５とを折り曲げ部を介して起倒自在に立設してなるコンテナにおいて、上記前後の側板２、３を下端が上記折り曲げ部に連設している三角形状又は台形状の中央側板部とこの中央側板部に傾斜折り曲げ部を介して連設してなる三角形状の両側側板部とによって形成し、上記前後側板２、３の中央側板部の外面に外壁板16、17の中央部を一体に固着して、前後側板２、３の両側側板部とこの両側壁板部に対向する外壁板16、17の両側部との対向面に互いに磁着する磁石片18、19を取付けている。【選択図】    図２
2015217955.tif 000002
【特許請求の範囲】
【請求項１】
矩形状の底板と、この底板の前後左右の辺に折り曲げ部を介して前後左右の側板を起倒自在に立設し、且つ、直角に隣接する側板同士を縦折り曲げ部を介して連設してなる折り畳みコンテナにおいて、前後側板又は左右側板のいずれか一方の側板に、底板と連設した上記折り曲げ部の両端側からこれらの側板の上端中央部に向かって傾斜した傾斜折り曲げ部を設けることにより、これらの側板を、上記底板に対する折り曲げ部と上記両側傾斜折り曲げ部とによって囲まれた中央側板部と、上記傾斜折り曲げ部とこの傾斜折り曲げ部に隣接する上記縦折り曲げ部とによって囲まれた両側側板部とで形成して、中央側板部を底板との折り曲げ部を介して外側方に傾倒可能とし、且つ、両側側板部を傾斜折り曲げ部と上記縦折り曲げ部を介して内側方に折り畳み可能に形成してあり、さらに、中央側板部の両端に、コンテナを組み立てた際にその内面で両側側板部の外面を受止する外壁板を一体に設けていると共にこの外壁板と両側側板部との対向面に互いに着脱可能な結合部材を設けていることを特徴とする折り畳みコンテナ。
【請求項２】
コンテナは合成樹脂製であって、その底板の四方の辺に側板を起倒自在に連設させている折り曲げ部と、隣接する側板同士を連設している縦折り曲げ部と、中央側板部と両側側板部とを連設している傾斜折り曲げ部とを折り曲げ可能な柔軟性を有する薄肉の細幅合成樹脂片からなるヒンジ部によって形成していることを特徴とする請求項１に記載の折り畳みコンテナ。
【請求項３】
底板及び前後左右の側板は別体に形成されてあり、底板の四方の辺に側板を起倒自在に連設させている折り曲げ部と、隣接する側板同士を連設している縦折り曲げ部と、中央側板部と両側側板部とを連設している傾斜折り曲げ部とを軸によって枢着してなる軸受け構造によって構成していることを特徴とする請求項１に記載の折り畳みコンテナ。
【請求項４】
結合部材を、側板の両側側板部と外壁板との対向面に取付けた互いに磁着する磁石片または互いに係脱する雌雄の面ファスナによって形成していることを特徴とする請求項１に記載の折り畳みコンテナ。
【請求項５】
磁石片または面ファスナを側板の両側側板部と外壁板との対向面における直角に連なる辺に沿って取付けていることを特徴とする請求項３に記載の折り畳みコンテナ。
【請求項６】
結合部材を、側板の両側側板部と外壁板との対向面におけるいずれか一方の面に取付けた突起と他方の面に取付けてこの突起を係脱自在に係止させる嵌合穴とによって形成していることを特徴とする請求項１に記載の折り畳みコンテナ。
【請求項７】
外壁板は中央側板部と両側側板部とからなる側板と同大、同形に形成されてあり、その中央壁板部の外面を側板の中央側板部の外面に一体に固着していると共に中央壁板部から突出している両側部をその内面で上記側板の両側側板部の外面を受止する両側壁板部に形成していることを特徴とする請求項１に記載の折り畳みコンテナ。
【請求項８】
側板の中央側板部は外壁板の中央側壁板部によって形成してこの中央側板部の内面に側板の両側側板部の傾斜折り曲げ部を設けていることを特徴とする請求項１又は請求項７に記載の折り畳みコンテナ。
【発明の詳細な説明】
【技術分野】
【０００１】
本発明は、材料や部品等の各種の物品を収納して輸送、保管する際に使用されるコンテナであって、物品を収納する際に簡単に組み立てることができ、不使用時にはコンパクトに折り畳んで保管しておくことができる折り畳みコンテナに関する。
【背景技術】
【０００２】
このような折り畳みコンテナとして従来から種々の構造のものが開発されてあり、例えば、特許文献１には、矩形状の底板の前後左右の四方の辺に、前後側板と左右側板とを底板のそれぞれの辺に対してヒンジ部を介して底板上に折り畳み可能に立設していると共に直角に隣接する側板同士は互いに縦折り曲げ部を介して連設してあり、さらに、前後側板と左右側板とのいずれか一方の両側板に、底板とのヒンジ部の両端からこれらの側板の先端中央部に向かって傾斜した傾斜折り曲げ部を設けることにより、これらの側板を上記ヒンジ部と上記両傾斜折り曲げ部とによって囲まれた三角形状又は台形状の中央側板部と、上記傾斜折り曲げ部と上記縦折り曲げ部とによって囲まれた三角形状の両側側板部とによって形成しなる折り畳みコンテナが記載されている。
【０００３】
なお、底板の四方の辺に上記前後左右の側板を立設してコンテナを組み立てた際に、これらの側板を立設状態に固定する一方、その固定を解除して折り畳み可能にするための係合部材等が設けられている。
【０００４】
このように構成した折り畳みコンテナを折り畳むには、係合部材等による結合を解除したのち、中央側板部と三角形状の両側側板部とからなる両側板を内側に向かって押圧すると、中央側板部が底板とのヒンジ部を支点として内側に傾倒し、その傾倒に伴ってこの中央側板部と三角形状の両側側板部との連設部である傾斜折り曲げ部が内方に移動しながら両側側板部をこれらの両側側板部に直角に隣接する他方の両側板との上記縦折り曲げ部を介して内側方に屈折させると共に中央側板部と両側側板部とが互いに上記傾斜折り曲げ部を介して内方に屈折し、これらの両側側板部にそれぞれ直角に隣接する上記他方の両側板を底板上に折り畳むことができる。
【先行技術文献】
【特許文献】
【０００５】
【特許文献１】特開２０００−２５５５６３号公報
【発明の概要】
【発明が解決しようとする課題】
【０００６】
上記のように構成した組み立てコンテナによれば、上記互いに平行に対向する前後両側板又は左右両側板のいずれか一方の両側板における中央側板部を底板とのヒンジ部を支点として内側に傾倒させることにより簡単に折り畳むことができ、また、折り畳み状態から上記一方の両側板に対して直角に隣接する他方の両側板を引き起こすようにして起立させれば、折り畳まれている一方の両側板の両側側板部と中央側板部も外側方に向かって起立してコンテナを簡単に組み立てることができる利点を有するが、互いに平行に対向する一方の両側板の中央側板部を底板上に折り畳み、この中央側板部上に三角形状の両側側板部と他方の両側板の両端部が順次、折り重ねられるため、底板上への折り畳み構造が嵩高くなるばかりでなく、底板に対する一方の両側板のヒンジ部に対してこれらの両側板に直角に隣接する他方の両側板のヒンジ部を上記折り重ねた厚み分だけ高位置に設けなければならず、コンテナの構造が複雑化して制作費も高くつくといった問題点がある。
【０００７】
さらに、中央側板部と三角形状の両側側板部とを備えた上記一方の両側板に外力が作用した場合に、これらの両側板が容易に内方に傾倒してコンテナが変形し、収納した物品が損傷する虞れがあり、このため、前後左右の両側板を起立させてコンテナを組み立てた際に、一方の両側板の中央側板部と三角形状の両側側板部とが垂直方向に面一状に展開した状態を保持させるための係合部材を設けているが、上記外力がこの係合部材に直接作用するため、係合部材が短期間で壊れて使用不能になる虞れがあった。
【０００８】
本発明はこのような問題点に鑑みてなされたもので、その目的とするところは、組み立てが素早く、且つ、強固にして優れた保形性を有するように行えると共に、不使用時には嵩張りを最小にした状態となるように円滑に折り畳むことができる構造が簡素化された折り畳みコンテナを提供するにある。
【課題を解決するための手段】
【０００９】
上記目的を達成するために本発明の折り畳みコンテナは、請求項１に記載したように、矩形状の底板と、この底板の前後左右の辺に折り曲げ部を介して前後左右の側板を起倒自在に立設し、且つ、直角に隣接する側板同士を縦折り曲げ部を介して連設してなる折り畳みコンテナにおいて、前後側板又は左右側板のいずれか一方の側板に、底板と連設した上記折り曲げ部の両端側からこれらの側板の上端中央部に向かって傾斜した傾斜折り曲げ部を設けることにより、これらの側板を、上記底板に対する折り曲げ部と上記両側傾斜折り曲げ部とによって囲まれた中央側板部と、上記傾斜折り曲げ部とこの傾斜折り曲げ部に隣接する上記縦折り曲げ部とによって囲まれた両側側板部とで形成して、中央側板部を底板との折り曲げ部を介して外側方に傾倒可能とし、且つ、両側側板部を傾斜折り曲げ部と上記縦折り曲げ部を介して内側方に折り畳み可能に形成してあり、さらに、中央側板部の両端に、コンテナを組み立てた際にその内面で両側側板部の外面を受止する外壁板を一体に設けていると共にこの外壁板と両側側板部との対向面に互いに着脱可能な結合部材を設けていることを特徴とする。
【００１０】
このように構成した折り畳みコンテナにおいて、請求項２に係る発明は、コンテナは合成樹脂製であって、その底板の四方の辺に側板を起倒自在に連設させている折り曲げ部と、隣接する側板同士を連設している縦折り曲げ部と、中央側板部と両側側板部とを連設している傾斜折り曲げ部とを折り曲げ可能な柔軟性を有する薄肉の細幅合成樹脂片からなるヒンジ部によって形成していることを特徴とする。
【００１１】
一方、請求項３に係る発明は、底板及び前後左右の側板は別体に形成されてあり、底板の四方の辺に側板を起倒自在に連設させている折り曲げ部と、隣接する側板同士を連設している縦折り曲げ部と、中央側板部と両側側板部とを連設している傾斜折り曲げ部とを軸によって枢着してなる軸受け構造によって構成していることを特徴とする。
【００１２】
また、上記請求項１に係る発明において、請求項４に係る発明は、上記結合部材を、側板の両側側板部と外壁板との対向面に取付けた互いに磁着する磁石片または互いに係脱する雌雄の面ファスナによって形成していることを特徴とする。
【００１３】
さらに、請求項５に係る発明は、上記磁石片または面ファスナを側板の両側側板部と外壁板との対向面における直角に連なる辺に沿って取付けていることを特徴とする。
【００１４】
一方、請求項６に係る発明は、上記結合部材を、側板の両側側板部と外壁板との対向面におけるいずれか一方の面に取付けた突起と他方の面に取付けてこの突起を係脱自在に係止させる嵌合穴とによって形成していることを特徴とする。
【００１５】
請求項７に係る発明は、上記外壁板は中央側板部と両側側板部とからなる上記側板と同大、同形に形成されてあり、その中央壁板部の外面を側板の中央側板部の外面に一体に固着していると共に中央壁板部から突出している両側部をその内面で上記側板の両側側板部の外面を受止する両側壁板部に形成していることを特徴とする。
【００１６】
上記請求項１又は請求項７に記載の折り畳みコンテナにおいて、請求項８に係る発明は、側板の中央側板部を外壁板の中央側壁板部によって形成してこの中央側板部の内面に側板の両側側板部の傾斜折り曲げ部を設けていることを特徴とする。
【発明の効果】
【００１７】
請求項１に係る発明によれば、矩形状の底板の前後左右の辺に折り曲げ部を介して前後左右の側板を起倒自在に立設し、且つ、直角に隣接する側板同士を縦折り曲げ部を介して連設してなる折り畳みコンテナにおいて、前後側板又は左右側板のいずれか一方の側板に、底板と連設した上記折り曲げ部の両端側からこれらの側板の上端中央部に向かって傾斜した傾斜折り曲げ部を設けることにより、これらの側板を、上記底板に対する折り曲げ部と上記両側傾斜折り曲げ部とによって囲まれた中央側板部と、上記傾斜折り曲げ部とこの傾斜折り曲げ部に隣接する上記縦折り曲げ部とによって囲まれた両側側板部とで形成して、中央側板部を底板との折り曲げ部を介して外側方に傾倒可能とし、且つ、両側側板部を傾斜折り曲げ部と上記縦折り曲げ部を介して内側方に折り畳み可能に形成しているので、中央側板部と両側側板部とを有する互いに平行に対設している両側板を底板との折り曲げ部を支点として外方に傾倒させるか、或いは、この両側板に直角に隣接する他方の両側板を底板上に向かって内方に傾倒させれば、上記底板に対して外方に傾倒する両側板における中央側板部上に両側側板部を傾斜折り曲げ部を介して内方に折り畳みながら且つこの両側側板部に連設する他方の両側板との縦折り曲げ部を介して外方に展開させながら折り重ねることができると同時に、他方の両側板を底板上に簡単に折り畳むことができ、底板上には他方の両側板のみを折り重ねた状態となって嵩張りを最小にすることができる。
【００１８】
また、折り畳み状態から中央側板部と両側側板部とを有する互いに平行な一方の両側板を底板との折り曲げ部を支点として起立させるか、又は、互いに平行な他方の両側板を底板との折り曲げ部を支点として引き起こすことにより、全ての側板を一斉に起立させて素早くコンテナを組み立てることができる。
【００１９】
さらに、上記中央側板部と両側側板部とからなる側板の外面に外壁板を一体に取付けて上記両側傾斜折り曲げ部から両側方に突出するこの外壁板の内面を上記両側側板部の外面に接合、分離可能に対向させると共にこれらの側板部と壁板部との対向面に互いに着脱可能な結合部材を設けているので、上記のようにコンテナを組み立ててこの結合部材により側板の両側側板部と外壁板とを一体に結合させれば、底板の四辺に立設している側板を折り畳みができないように直方体形状に保持しておくことができ、その上、外壁板に不測に外力が作用しても、外壁板の両側端がこの外壁板に直角に隣接する他方の両側板の端面に強固に受止されて側板が変形するのを防止することができる。
【００２０】
請求項２に係る発明によれば、上記コンテナは合成樹脂製であって、その底板の四方の辺に側板を起倒自在に連設させている折り曲げ部と、隣接する側板同士を連設している縦折り曲げ部と、中央側板部と両側側板部とを連設している傾斜折り曲げ部とを折り曲げ可能な柔軟性を有する薄肉の細幅合成樹脂片からなるヒンジ部によって形成しているので、軸体等の別なヒンジ構造を必要とすることなく、底板や四方の側板と共に上記全ての折り曲げ部を一体的に成形することができ、多量生産に適し、安価に提供することができると共に、ヒンジ部に隙間が生じていないコンテナを構成することができる。
【００２１】
一方、請求項３に係る発明によれば、底板及び前後左右の側板は別体に形成されてあり、底板の四方の辺に側板を起倒自在に連設させている折り曲げ部と、隣接する側板同士を連設している縦折り曲げ部と、中央側板部と両側側板部とを連設している傾斜折り曲げ部とを軸によって枢着してなる軸受け構造によって構成しているので、軸受け部の強度が大きくて長期の使用に耐えることができるコンテナを提供することができる。
【００２２】
また、請求項４に係る発明によれば、上記結合部材を、側板の両側側板部と外壁板との対向面に取付けた互いに磁着する磁石片または互いに係脱する雌雄の面ファスナによって形成しているので、コンテナを組み立てる際に、底板の四方に折り曲げ部を介して連設している側板を上記のように起立させれば、側板の両側側板部と外壁板との対向面に取付けている磁石片または雌雄の面ファスナが何らの操作を必要とすることなく自動的に磁着または係着して、直方体形状を保持するコンテナをワンタッチで組み立てることができ、また、折り畳む際には、上記側板を外方に押し倒せば、この側板の両側側板部が傾斜折り曲げ部を支点として内方に傾倒して外壁板から離脱し、磁石同士の磁着または雌雄面ファスナ同士の係着を何らの操作を行うことなく解除することができてコンテナを簡単に折り畳むことができる。
【００２３】
さらに、請求項５に係る発明によれば、上記磁石片または雌雄の面ファスナを側板の両側側板部と外壁板との対向面における直角に連なる辺に沿って取付けているので、これらの磁石片または面ファスナによって側板の両側側板部と外壁板とを強固に接合、固定させることができ、直方体形状の形態をより確実に保持し得るコンテナを組み立てることができる。
【００２４】
なお、上記結合部材として、磁石片に代えて請求項６に記載したように、側板の両側側板部と外壁板との対向面におけるいずれか一方の面に取付けた突起と他方の面に取付けてこの突起を係脱自在に係止させる嵌合穴とから構成しておいても、上記同様な作用効果を奏することができる。
【００２５】
請求項７に係る発明によれば、上記外壁板は中央側板部と両側側板部とからなる上記側板と同大、同形に形成されてあり、その中央壁板部の外面を側板の中央側板部の外面に一体に固着していると共に中央壁板部から突出している両側部をその内面で上記側板の両側側板部の外面を受止する両側壁板部に形成しているので、底板の前後左右四方の辺に前後左右の側板を設けているコンテナと上記外壁板とを別々に作製し、コンテナの互いに平行に対向する側板の中央側板部の内面に外壁板の中央壁板部の外面を取付けることによって上記折り畳みコンテナを簡単に且つ安価に製作することができ、外壁板によって強固に補強された折り畳みコンテナを提供することができる。
【００２６】
また、請求項８に係る発明によれば、上記側板の中央側板部を外壁板の中央側壁板部によって形成してこの中央側板部の内面に側板の両側側板部の傾斜折り曲げ部を設けているので、底板の互いに平行する前後左右の辺における一方の互いに平行する両辺に外壁板を折り畳み部を介して起倒自在に連設し、この外壁板の内面に側板の両側壁板部を傾斜折り曲げ部を介して連設させることによって上記折り畳みコンテナを簡単に且つ安価に製作することができる。
【図面の簡単な説明】
【００２７】
【図１】コンテナを組み立てた状態の斜視図。
【図２】折り畳んでいる状態の斜視図。
【図３】折り畳みが完了した状態の斜視図。
【図４】図１におけるＡ−Ａ線拡大横断面図。
【図５】底板と側板との折り曲げ部の拡大断面図。
【図６】コンテナの展開図。
【図７】折り畳みコンテナの別な実施形態を示す斜視図。
【図８】結合部材の別な実施形態を示す断面図。
【図９】折り曲げ部を軸受け構造によって構成した状態の断面図。
【図１０】前後側板における両側側板部の変形例を示す正面図。
【図１１】その折り畳み状態を示す斜視図。
【図１２】その折り畳み構造の変形例を示す斜視図。
【図１３】前後側板における両側側板部の別な変形例を示す正面図。
【図１４】その折り畳み状態を示す斜視図。
【図１５】その折り畳み構造の変形例を示す斜視図。
【図１６】前後側板における両側板底板のさらに別な変形例を示す正面図。
【図１７】その折り畳み状態を示す斜視図。
【図１８】その折り畳み構造の変形例を示す斜視図。
【発明を実施するための形態】
【００２８】
本発明の具体的な実施例を図面について説明すると、折り畳みコンテナは、矩形状の底板１と、この底板１の互いに平行な前後の辺と左右の辺とにそれぞれ立設している前後の側板２、３と左右の側板４、５とを備えていると共にこれらの前後左右の側板２〜５は、底板１の前後左右の辺にその下端を折り曲げ部６、７、８、９を介して起倒自在に連設してあり、さらに、直角に隣接する側板同士は縦折り曲げ部10、11、12、13を介して連設している。
【００２９】
上記前後左右の側板２〜５は同一高さに形成されていると共に、図においては、前後に対向する両側板２、３の横幅を、左右に対向する両側板４、５の横幅よりも短い寸法に形成しているが、同一寸法、或いは、長い寸法に形成しておいてもよい。
【００３０】
さらに、前後側板２、３又は左右側板４、５のいずれか一方の両側板、例えば、図においては、前後に対向する両側板に、これらの前後側板２、３の下端を底板の前後の辺にそれぞれ接続している上記前後の折り曲げ部６、７の両側端からこれらの前後側板２、３の上端中央部間に亘って斜め４５度の角度でもって傾斜した内方に折り曲げ可能な傾斜折り曲げ部14a 、14b ；15a 、15b をそれぞれ設けている。
【００３１】
そして、これらの傾斜折り曲げ部14a 、14b ；15a 、15b を設けたことによって、前側の側板２を、上記底板１の辺にその下端を連設させている上記折り曲げ部６と上記両側傾斜折り曲げ部14a 、14b とによって固まれた上記折り曲げ部６を底辺とする三角形状ないしは台形状の中央側板部2aと、上記両側傾斜折り曲げ部14a 、14b とこれらの傾斜折り曲げ部14a 、14b にそれぞれ隣接する上記縦折り曲げ部10、11とによって囲まれた三角形状の両側側板部2b、2cとによって形成している。同様に、後側の側板３を、上記底板１の辺にその下端を連設させている上記折り曲げ部７と上記両側傾斜折り曲げ部15a 、15b とによって固まれた上記折り曲げ部７を底辺とする三角形状ないしは台形状の中央側板部3aと、上記両側傾斜折り曲げ部15a 、15b とこれらの傾斜折り曲げ部15a 、15b にそれぞれ隣接する上記縦折り曲げ部12、13とによって囲まれた三角形状の両側側板部3b、3cとによって形成している。なお、中央側板部2aは、図１、図４等に示すように、その横幅方向の中央部を全高に亘って切除した形態に形成しているが、切除することなく一枚物に形成しておいてもよい。
【００３２】
さらに、前後側板２、３の外面（背面）にこれらの側板２、３と同大、同形の横長長方形状の外壁板16、17を重ね合わせて、前側の側板２においては、その側板２の中央側板部2aと、この中央側板部2aの外面に重なり合う前側外壁板16の三角形ないしは台形状の中央壁板部16a の内面とを接着等によって一体に固着する一方、側板２の三角形状の両側側板部2b、2cに対しては、この側板２の両側傾斜折り曲げ部14a 、14b から外側方に突出してこれらの両側側板部2b、2cに重なり合う外壁板16の三角形状の両側壁板部16b 、16c を両側側板部2b、2cに対して固着することなく遊離させ、側板２の三角形状の両側側板部2b、2cを外側板16の三角形状の両側壁板部16b 、16c に対して両側傾斜折り曲げ部14a 、14b
を介して内方に向かって折り畳み可能に形成している。
【００３３】
同様に、後側の側板３においても、その側板３の中央側板部3aと、この中央側板部3aの外面に重なり合う後側外壁板17の三角形ないしは台形状の中央壁板部17a1の内面とを接着等によって一体に固着する一方、側板３の三角形状の両側側板部3b、3cに対しては、この側板３の両側傾斜折り曲げ部15a 、15b から外側方に突出してこれらの両側側板部3b、3cに重なり合う外壁板17の三角形状の両側壁板部17b 、17c を両側側板部3b、3cに対して固着することなく遊離させ、側板２の三角形状の両側側板部3b、3cを外壁板17の三角形状の両側壁板部17b 、17c に対して両側傾斜折り曲げ部15a 、15b を介して内方に向かって折り畳み可能に形成している。
【００３４】
上記前後側板２、３における三角形状の両側側板部2b、2c；3b、3cと、これらの三角形状の両側側板部2b、2c；3b、3cの外面に重なる上記前後外壁板16、17における三角形状の両側壁板部17b 、17c との対向面に磁石片18、19からなる結合部材を取付けている。
【００３５】
これらの磁石片18、19の取付形態としては、前後側板２、３における三角形状の両側側板部2b、2c；3b、3cと前後外壁板16、17における三角形状の両側壁板部16b 、16c ；17b
、17c との対向面において、直角に連なる２辺に沿ってＬ字状に形成した磁石片18、19を貼り付け、或いはインサート成形によって取付けることが好ましく、また、上記三角形状の両側側板部2b、2c；3b、3cと三角形状の両側壁板部16b 、16c ；17b 、17c との直角に連なる２辺に沿ってＬ字状の溝を設けておき、この溝に磁石片18、19を埋設状態に嵌着した取付け構造としておいてもよい。
【００３６】
さらに、このように構成した折り畳みコンテナは、ポリエチレンやポリプロピレン等の合成樹脂製であってもよく、或いは、厚紙製、金属製であってもよいが、金型により成形が容易な合成樹脂製であることが好ましい。
【００３７】
図６は金型成形された上記合成樹脂製折り畳みコンテナの展開図で、一定厚みを有する矩形状底板１と、この矩形状底板１の互いに平行な両側辺に折り曲げ部８、９を介して長方形状の上記左右側板４、５を連設していると共にこれらの左右側板４、５の前後端縁に上記縦折り曲げ部10〜13となる折り曲げ部10' 〜13' を介して上記前後側板２、３の三角形状の両側側板部2b、2c；3b、3cとなる直角二等辺三角形状の側板部2b' 、2c' ；3b' 、3c' をそれぞれ連設してあり、さらに、これらの直角二等辺三角形状の側板部2b' 、2c'
；3b' 、3c' に、それぞれ傾斜折り曲げ部14a 、14b ；15a 、15b を介して前後側板２、３の中央側板部2a、3aの一半部（右半部）と他半部（左半部）とを形成するための直角二等辺三角形状の分割中央側板部2a1 、2a2 ；3a1 、3a2 を連設していると共に、左右に対向するこれらの分割中央側板部2a1 、2a2 ；3a1 、3a2 の互いに平行な内側の縁辺に、底板１における上記前後辺に折り曲げ部６、７を形成するための薄肉の細長い折り曲げ片6a、6b；7a、7bを形成している。
【００３８】
また、展開状態で成形されるこのコンテナとは別に上記前後外壁板16、17も金型によって成形しておく。なお、上記コンテナの底板１の四方の辺に前後左右の側板２〜５を起倒自在に連設させている折り曲げ部６〜８と、隣接する側板同士を連設している縦折り曲げ部10〜13、及び、前後側板２、３における中央側板部2a、3aと三角形状の両側側板部2b、2c；3b、3cとを連設している傾斜折り曲げ部14a 、14b ；15a 、15b とを、図４、図５に示すように折り曲げ可能な柔軟性を有する薄肉の細幅合成樹脂片からなるヒンジ部によって形成している。
【００３９】
上記のように一枚の板状に展開している状態から折り畳み可能なコンテナを組み立てるには、底板１の両側辺に連設している左右側板４、５を折り曲げ部８、９を介して起立させると共にこれらの左右側板４、５の前後端縁に連設している直角二等辺三角形状の側板部2b' 、2c' ；3b' 、3c' を左右側板４、５との折り曲げ部10' 〜13' を介して内側方に直角に折り曲げることにより、これらの側板部2b' 、2c' ；3b' 、3c' に傾斜折り曲げ部14a 、14b ；15a 、15b を介してそれぞれ連設している直角二等辺三角形状の分割中央側板部2a1 、2a2 ；3a1 、3a2 を底板１の前後の辺上にそれぞれ位置させ、底板１の前後の辺の両側辺部上にそれぞれ接したこれらの分割中央側板部2a1 、2a2 ；3a1 、3a2 の縁辺に設けている薄肉の細長い折り曲げ片6a、6b；7a、7bを底板１の前後辺の両側辺部にそれぞれ溶着することによって、底板１の前側の辺においては、薄肉の細長い折り曲げ片6a、6bからなる折り曲げ部６を形成すると共に、この折り曲げ部６を介して底板１の前側の辺に上記両側の分割中央側板部2a1 、2a2 からなる三角形状の中央側板部2aと、この中央側板部2aの両側に傾斜折り曲げ部14a 、14b を介して連設した直角二等辺三角形状の側板部2b' 、2c' からなる両側側板部2b、2cとを設けてなる前側側板２を形成する。
【００４０】
同様に、底板１の後側の辺においては、薄肉の細長い折り曲げ片7a、7bからなる折り曲げ部７を形成すると共に、この折り曲げ部７を介して底板１の後側の辺に上記両側の分割中央側板部3a1 、3a2 からなる三角形状の中央側板部3aと、この中央側板部3aの両側に傾斜折り曲げ部15a 、15b を介して連設した直角二等辺三角形状の側板部3b' 、3c' からなる両側側板部3b、3cとを設けてなる後側側板３を形成する。
【００４１】
なお、上記中央側板部2a、3aは、両側の分割中央側板部2a1 、2a2 ；3a1 、3a2 の細長い折り曲げ片6a、6b；7a、7bを設けている辺の和を底板１の前後の辺の長さにそれぞれ等しくしてこれらの両側の分割中央側板部2a1 、2a2 ；3a1 、3a2 を突き合わせ状態に左右に並列することによって折り曲げ部６、７を底辺とする三角形状の中央側板部2a、3aにそれぞれ形成しているが、底板１の左右の辺間の横幅を底板１の前後辺の両側部にそれぞれ連設させる上記分割中央側板部2a1 、2a2 ；3a1 、3a2 の連設長さよりも幅広くして左右に対向する分割中央側板部2a1 、2a2 間、及び分割中央側板部3a1 、3a2 間に隙間を設けるようにし、この隙間からこれらの両側分割中央側板部2a1 、2a2 ；3a1 、3a2 の外面に固着する前後外壁板16、17の中央部を露出させた状態にすれば、この露出した前後外壁板16、17の中央壁板部16a 、17a の中央部と三角形状の両側分割中央側板部2a1 、2a2 ；3a1 、3a2 とによって中央側板部2a、3aは折り曲げ部６、７を底辺とする台形状にそれぞれ形成される。
【００４２】
しかるのち、上記前後板２、３の外面（背面）に上記前後外壁板16、17をそれぞれ重ね合わせて前後板２、３の中央側板部2a、3aに対応するこれらの外壁板16、17の中央側壁板部16a 、17a の内面を前後板２、３の上記中央側板部2a、3aの外面にそれぞれ溶着することにより前後に外壁板16、17を備えた折り畳みコンテナを組み立てる。
【００４３】
なお、上記底板１の前後辺に対する前後側板２、３の下端の折り曲げ部６、７は、上記のように分割中央側板部2a1 、2a2 ；3a1 、3a2 の縁辺に設けている薄肉の細長い折り曲げ片6a、6b；7a、7bを底板１の前後辺の両側辺部にそれぞれ溶着することなく、これらの細長い折り曲げ片6a、6b；7a、7bに複数個の突起又は小孔を設けておく一方、底板１の前後辺に上記突起を嵌着させる小孔又は上記小孔に嵌着する突起を設けた薄肉の細長い折り曲げ片（図示せず）を設けておき、これらの折り曲げ片を重ね合わせて突起と小孔との嵌着により折り曲げ部６、７を形成するように構成しておいてもよい。また、上記前後側板２、３における三角形状の両側側板部2b、2c；3b、3cと、これらの三角形状の両側側板部2b、2c；3b、3cの外面に重なる上記前後外壁板16、17における三角形状の両側壁板部17b
、17c との対向面に磁石片18、19を取付けるのは、コンテナの組み立て前後のいずれであってもよい。
【００４４】
このように構成したコンテナを不使用時において折り畳むには、底板１の前後辺に設けている折り曲げ部６、７を介して前後の側板２、３を外方に傾倒させると、図２に示すように、これらの側板２、３における左右の側板４、５に縦折り曲げ部10〜13を介して連設している三角形状の両側側板部2b、2c；3b、3cが、これらの両側側板部2b、2c；3b、3cの外面に取付ている磁石片18を外壁板16、17の両側壁板部16b 、16c ；17b 、17c の内面に取付けている磁石片19から離脱させながら前後外壁板16、17の中央壁板部16a 、17a と一体の中央側板部2a、3aに対して傾斜折り曲げ部14a 、14b ；15a 、15b を介して内方に折り曲げられると共に、中央側板部2a、3aが外側に傾倒していくに伴って両側側板部2b、2c；3b、3cと左右の側板４、５との縦折り曲げ部10〜13を有する連設部が直角状態からその角度を大きくしながら展開し、さらに、前後の側板２、３の中央側板部2a、3aを前後外壁板16、17と共に底板１の前後端から前後方向にそれぞれ水平に連なる状態となるまで傾倒させると、図３に示すように、前後側板２、３の上記三角形状の両側側板部2b、2c；3b、3cが前後側板２、３の中央側板部2a、3a上にそれぞれ折り重なると同時に、左右の側板４、５が底板１の一半部上と他半部上とにそれぞれ重ない、コンパクトに折り畳むことができる。
【００４５】
なお、前後の側板２、３を外方に傾倒操作することなく、左右の側板４、５を底板１の左右の折り曲げ部８、９を支点として底板１上に向かって内側方に傾倒操作しても、上記同様にしてコンテナを折り畳むことができる。
【００４６】
次に、使用に際して折り畳み状態からコンテナに組み立てるには、底板１の前後の折り曲げ部６、７を支点として前後の外壁板16、17を引き起こすか、或いは、左右の側板４、５を底板１の左右の折り曲げ部８、９を支点として引き起こすと、前後側板２、３における三角形状の両側側板部2b、2c；3b、3cが傾斜折り曲げ部14a 、14b ；15a 、15b を支点として外側方に向かってそれぞれ起立し、それに伴ってこれらの三角形状の両側側板部2b、2c；3b、3cに縦折り曲げ部10〜13を介して連設している左右の側板４、５が底板１の左右の折り曲げ部８、９を支点として立ち上げられ、外壁板16、17を垂直状になるまで起立させると、前後側板２、３における上記三角形状の両側側板部2b、2c；3b、3cの外面が前後外壁板16、17の両側壁板部16b 、16c ；17b 、17c の内面に重なってこれらの両側側板部2b、2c；3b、3cと両側壁板部16b 、16c ；17b 、17c との対向面に取付けている磁石片18、19が磁着すると同時に左右の側板４、５も垂直状に起立し、コンテナを直方体に組み立てることができる。
【００４７】
なお、以上の実施例においては、前後側板２、３における中央側板部2a、3aを、前後外壁板16、17の中央壁板部16a 、17a の内面に固着した三角形状の両側分割中央側板部2a1
、2a2 ；3a1 、3a2 によって形成しているが、このような三角形状の両側分割中央側板部2a1 、2a2 ；3a1 、3a2 を設けることなく、図７に示すように、横長長方形状に形成している前後外壁板16、17の下端を底板１の前後の辺に折り曲げ部６、７を介して起倒自在に連設し、この前後外壁板16、17の内面に左右側板４、５の前後端に縦折り曲げ部10〜13を介して連設している三角形状の両側側板部2b、2c；3b、3cの傾斜辺を傾斜折り曲げ部14a
、14b ；15a 、15b を介して連設し、両側の傾斜折り曲げ部14a 、14b 間、15a 、15b 間に露出する前後外壁板16、17の中央壁板部16a 、17a の内面によって三角形状或いは台形状の中央側板部2a、3aを形成しておいてもよい。
【００４８】
また、上記前後側板２、３における三角形状の両側側板部2b、2c；3b、3cと、これらの三角形状の両側側板部2b、2c；3b、3cの外面に重なる上記前後外壁板16、17における三角形状の両側壁板部17b 、17c との対向面を結合させる結合部材として、上記実施例においては磁石片18、19によって構成しているが、前後側板２、３の三角形状の両側側板部2b、2c；3b、3cと、前後外壁板16、17との対向面のいずれか一方の面に突起20を設け、他方の面にこの突起20を係脱自在に係止させる嵌合穴21を設けてこれらの突起20と嵌合穴21とによって結合部材を構成しておいてもよい（図８参照）。さらには、このような突起20と嵌合穴21とからなる結合部材や上記磁石片18、19からなる結合部材に限らず、その他の結合部材、例えば、互いに係合する雌雄の面ファスナによって構成しておいてもよい。さらに、このような結合部材は、前後側板２、３における三角形状の両側側板部2b、2c；3b、3cと、これらの三角形状の両側側板部2b、2c；3b、3cの外面に重なる上記前後外壁板16、17における三角形状の両側壁板部17b 、17c との対向面に設けているが、前後側板２、３における一方の側板部とこの側板部に対向する前後外壁板の一方の壁板部とに設けておき、他方の対向する側板部と外壁板に結合部材を設けていない構造としておいてもよい。
【００４９】
さらに、以上の実施例においては、底板１の前後左右の四方の辺に前後左右の側板２〜５を起倒自在に連設させている折り曲げ部６〜９と、隣接する側板同士を連設している縦折り曲げ部10〜13と、中央側板部2a、3aと三角形状の両側側板部2b、2c；3b、3cとをそれぞれ連設している傾斜折り曲げ部14a 、14b ；15a 、15b とを折り曲げ可能な柔軟性を有する薄肉の細幅合成樹脂片からなるヒンジ部によって形成しているが、上記底板１及び前後左右の側板２〜５を別体に形成しておき、底板１の前後左右の四方の辺に前後左右の側板２〜５を起倒自在に連設させている折り曲げ部６〜９を図９に示すように、軸22によって枢着してなる軸受け構造によって構成してもよい。このような軸受け構造は、隣接する側板同士を連設している縦折り曲げ部10〜13と、中央側板部2a、3aと両側側板部2b、2c；3b、3cとを連設している傾斜折り曲げ部14a 、14b ；15a 、15b とにおいても採用することができる。
【００５０】
このような軸受け構造は、上記実施例における図７で示したように、前後側板２、３の中央側板部2a、3aを外壁部16、17の中央壁板部16a 、17a によって形成して中央側板部2a、3aを形成している外壁部16、17の中央壁板部16a 、17a の内面に前後側板２、３の直角二等辺三角形状の両側側板部2b、2c；3b、3cの斜辺を軸22によって折り畳み自在に枢着する連結構造に適している。
【００５１】
また、上記実施例においては、前後側板２、３における両側側板部2b、2c；3b、3cの形状としては、両側の傾斜折り曲げ部14a 、14b ；15a 、15b を、その上下端を底板１の前後隅角部における両端と前後側板２、３の上端中央部とにそれぞれ到達させて一直線状の傾斜折り曲げ部14a 、14b ；15a 、15b とすることにより、これらの傾斜折り曲げ部14a
、14b ；15a 、15b を底辺とする直角二等辺三角形状に形成しているが、図10に示すように、両側の傾斜折り曲げ部14a1、14b1；15a1、15b1の下端を上記同様に底板１の前後隅角部における両端にそれぞれ到達させる一方、上端を前後側板２、３の上端中央部に到達させることなく前後側板２、３の上端中央部の下方近傍部にまで達した傾斜折り曲げ部14a1、14b1；15a1、15b1とし、これらの傾斜折り曲げ部14a1、14b1；15a1、15b1の上端と前後側板2 、3 の上端中央部との間を折り曲げ部ではなくスリット状の垂直切除部23a1、23b1；24a1、24b1によって連通させた形態に形成しておいてもよい。
【００５２】
従って、両側側板部2b、2c；3b、3cは四角形状に形成されると共に前後側板２、３の中央側板部2a、3aの上端両側部が上記垂直切除部23a1、23b1；24a1、24b1によって両側側板部2b、2c；3b、3cの上端部に対して分離した構造となっている。なお、前後側板２、３の中央側板部2a、3aは、図11に示すように、前後外壁板16、17と別体に形成してこの中央側板部2a、3aの両側端に上記両側側板部2b、2c；3b、3cを上記垂直切除部23a1、23b1；24a1、24b1と傾斜折り曲げ部14a1、14b1；15a1、15b1を介してそれぞれ連設し、中央側板部2a、3aの外面を前後外壁板16、17の中央部内面にそれぞれ一体に固着させた構造としておいてもよよく、或いは、図12に示すように、前後外壁板16、17の中央部によって形成しておいてもよい。その他の構成については上記実施例と同様であるので、同一部分には同一符号を付して詳細な説明を省略する。
【００５３】
このように構成したので、底板１の前後辺に設けている折り曲げ部６、７を介して前後の側板２、３を外方に傾倒させると、左右の側板４、５に縦折り曲げ部10〜13を介して連設している両側側板部2b、2c；3b、3cが、これらの両側側板部2b、2c；3b、3cの外面に取付ている磁石片18を外壁板16、17の両側壁板部16b 、16c ；17b 、17c の内面に取付けている磁石片19から離脱させながら傾斜折り曲げ部14a1、14b1；15a1、15b1を介して内方に折り曲げられ、上記実施例と同様に前後側板２、３の両側側板部2b、2c；3b、3cが前後側板２、３の中央側板部2a、3a上にそれぞれ折り重なると同時に、左右の側板４、５が底板１の一半部上と他半部上とにそれぞれ重ない、コンパクトに折り畳むことができる。また、上記折り畳み状態から底板１の前後の折り曲げ部６、７を支点として前後の外壁板16、17を引き起こすか、或いは、左右の側板４、５を底板１の左右の折り曲げ部８、９を支点として引き起こせば、上記実施例と同様にしてコンテナを組み立てることができる。
【００５４】
この実施例においては、前後側板２、３における両側側板部2b、2c；3b、3cの傾斜折り曲げ部14a1、14b1；15a1、15b1の上端部に垂直切除部23a1、23b1；24a1、24b1を形成しているが、図13〜図15に示すように、傾斜折り曲げ部14a2、14b2；15a2、15b2の上端を前後側板２、３の上端中央部に連続させる一方、下端を底板１の隅角部に到達させることなくその下端から左右側板４、５の縦折り曲げ部10、11、12、13の下端部に達したスリット状の水平切除部23a2、23b2；24a2、24b2を形成しておいてもよく、また、図16〜図18に示すように、傾斜折り曲げ部14a3、14b3；15a3、15b3の上下端部に垂直切除部23a1、23b1；24a1、24b1と水平切除部23a2、23b2；24a2、24b2をそれぞれ形成しておいてもよい。その他の構成については上記実施例と同様であるので、同一部分には同一符号を付して詳細な説明を省略する。また、これらの折り畳みコンテナにおいても上記実施例と同様にして組み立て、折り畳みが簡単に行うことができる。
【符号の説明】
【００５５】
１  底板
２、３  前後側板
４、５  左右側板
2a、3a  中央側板部
2b、2c、3b、3c  両側側板部
６〜９  折り曲げ部
10〜13  縦折り曲げ部
14a 、14b ；15a 、15b   傾斜折り曲げ部
16、17  前後外壁板
16a 、17a   中央壁板部
16b 、16c ；17b 、17c   両側壁板部
18、19  磁石片
【図１】
2015217955.tif 000003
【図２】
2015217955.tif 000004
【図３】
2015217955.tif 000005
【図４】
2015217955.tif 000006
【図５】
2015217955.tif 000007
【図６】
2015217955.tif 000008
【図７】
2015217955.tif 000009
【図８】
2015217955.tif 000010
【図９】
2015217955.tif 000011
【図１０】
2015217955.tif 000012
【図１１】
2015217955.tif 000013
【図１２】
2015217955.tif 000014
【図１３】
2015217955.tif 000015
【図１４】
2015217955.tif 000016
【図１５】
2015217955.tif 000017
【図１６】
2015217955.tif 000018
【図１７】
2015217955.tif 000019
【図１８】
2015217955.tif 000020